(57)【要約】【課題】版下の校正を行っても注文者が十分校正を行わない場合や校正の時間的余裕がない場合によって、注文者が期待する注文内容と異なる内容で印刷された場合に注文者との間に発生するトラブルを防ぐことができ、さらには、注文した印刷された年賀状を受け取る時間を短くすることができる年賀状印刷注文システムを提供する。【解決手段】年賀状印刷注文システム５は、モニタ１２と、タッチパネル１４と、記憶装置１６と、ＣＰＵ１８を有する注文端末１０と、注文明細書プリンタ２０と、ハガキプリンタ３０とを有し、記憶装置１６に記憶された入力画面のデータがモニタ１２に表示され、タッチパネル１４により入力した内容に従いハガキプリンタ３０により年賀状ハガキが印刷される。また、注文明細書プリンタ２０により注文内容を特定するための注文明細書が印刷される。【選択図】図２
2012104066.tif 000002
【特許請求の範囲】
【請求項１】
年賀状印刷を注文するための年賀状印刷注文システムであって、
注文端末と、印刷装置とを有し、
該注文端末が、
画像を表示するための表示手段と、
表示手段の表面に設けられたタッチパネル式の入力手段と、
１又は複数の画面から構成された入力画面で、
年賀状ハガキの宛名表示面とは反対側の面に印刷する印刷デザインで文字と絵柄における少なくともいずれかからなる印刷デザインを複数表示してなり、タッチパネルを操作することによりいずれかの印刷デザインを選択可能な印刷デザイン選択部と、
年賀状ハガキの宛名表示面とは反対側の面に印刷する文字列を選択するための文字列選択部で、文字列を複数表示してなり、タッチパネルを操作することによりいずれかの文字列を選択可能な文字列選択部と、
文字列選択部で文字列を選択する代わりに、年賀状ハガキの宛名表示面とは反対側の面に印刷する文字列を入力するための文字列入力部で、文字を入力するための入力キーを表示した入力キー表示部と、入力キー表示部をタッチパネルで操作することにより入力した文字列を表示する文字列表示部と、を有する文字列入力部と、
年賀状ハガキの注文枚数を入力するための枚数入力部で、選択可能な枚数を表示してなり、タッチパネルを操作することによりいずれかの枚数を選択可能な枚数選択部を有する枚数入力部と、
差出人を特定するための情報である差出人情報を入力するための差出人情報入力部で、文字と数字を入力するための入力キーを表示した第２入力キー表示部と、第２入力キー表示部をタッチパネルで操作することにより入力した差出人情報を表示する差出人情報表示部と、を有する差出人情報入力部と、
入力印刷デザイン選択部で選択された印刷デザインとともに、文字列選択部で選択した文字列又は文字列入力部で入力した文字列と、差出人情報入力部で入力した内容を年賀状ハガキの宛名表示面とは反対側の面の印刷例の状態で表示するための印刷例表示部と、
を有する入力画面のデータを記憶するとともに、入力画面に入力した内容を記憶する管理テーブルとを記憶する記憶手段と、
記憶手段に記憶された入力画面の情報を表示手段に表示し、入力手段により入力した内容を管理テーブルに記憶し、文字列入力部が表示された状態で入力手段により文字列を選択するか又は文字列入力部が表示された状態で入力手段により文字列の入力を行った場合に、文字列を印刷例表示部に表示し、差出人情報入力部が表示された状態で入力手段により差出人情報の入力を行った場合に、差出人情報を印刷例表示部に表示し、入力手段により入力した内容に従い印刷データを印刷装置に送る制御手段とを有し、
印刷装置が、制御手段から送られた印刷データに従い、年賀状ハガキの宛名表示面とは反対側の面に印刷することを特徴とする年賀状印刷注文システム。
【請求項２】
注文内容を特定するための注文明細書で、管理テーブルに記憶された情報の少なくとも一部を表示した注文明細書を印刷するための注文明細書印刷装置で、制御装置から送られる印刷データで管理テーブルに記憶された情報の少なくとも一部を含む印刷データに従い注文明細書を印刷する注文明細書印刷装置を有することを特徴とする請求項１に記載の年賀状印刷注文システム。
【請求項３】
入力画面が複数の画面からなり、印刷デザイン選択部を有する第１の画面と、文字列選択部を有する第２の画面と、文字列入力部を有する第３の画面と、枚数入力部を有する第４の画面と、差出人情報入力部を有し１又は複数の画面からなる第５の画面とを有し、
制御手段は、第２の画面の後に表示される画面に、選択された印刷デザインとともに文字列選択部により選択された文字列を印刷例表示部に表示し、第３の画面の後に表示される画面に、選択された印刷デザインとともに文字列入力部により入力された文字列を印刷例表示部に表示し、第５の画面の後に表示される画面に、選択された印刷デザインとともに差出人情報入力部により入力された情報を印刷例表示部に表示し、印刷例表示部への表示に際して、すでに表示されている表示内容に追加して表示を行なうことを特徴とする請求項１又は２に記載の年賀状印刷注文システム。
【請求項４】
制御手段が、一連の注文手順の流れを示し、第１の画面に対応する第１表示と、第２の画面及び第３の画面に対応する第２表示と、第４の画面に対応する第３表示と、第５の画面に対応する第４表示とを有する注文手順一覧表示部で、第１表示から第４表示において、現在表示されている画面に対応した表示を強調して表示する注文手順一覧表示部を表示することを特徴とする請求項３に記載の年賀状印刷注文システム。
【請求項５】
枚数入力部が、数字を入力するための入力キーを表示したテンキー表示部を有し、タッチパネルにおけるテンキー表示部の領域を押して操作することにより枚数を入力可能であることを特徴とする請求項１又は２又は３又は４に記載の年賀状印刷注文システム。
【発明の詳細な説明】
【技術分野】
【０００１】
本発明は、年賀状発注システムに関するものである。
【背景技術】
【０００２】
従来より年賀状の発注は、注文用紙に住所、氏名、電話番号、メールアドレス等の情報を記入して、仲介店等の店に該注文用紙を提出して注文を行なうのが一般的である。
【０００３】
なお、出願人は、先行技術文献として以下の文献を知得している。
【先行技術文献】
【特許文献】
【０００４】
【特許文献１】特開２００２−９２３９８号公報
【発明の概要】
【発明が解決しようとする課題】
【０００５】
しかし、上記のように、注文用紙に記入して注文する場合には、記入者が記入した文字が判別しづらい等記入者が記入した内容が不明であるや、記入した内容を誤認して版下を作成する場合があり、版下の校正を行って内容に誤りがないか確認する作業が必要になってしまう。また、校正をする時間的余裕がない場合には、不明な記入内容を推測したり、記入内容を誤認したまま印刷する等、注文者が期待する注文内容と異なる内容で印刷してしまうおそれがある。版下の校正を行っても注文者が十分校正を行わない場合や校正の時間的余裕がない場合によって、注文者が期待する注文内容と異なる内容で印刷された場合には、注文者とのトラブルの原因となるおそれがある。
【０００６】
また、上記特許文献１に記載の送付用カード媒体作成のための注文方法によれば、注文を受けたセンタから年賀状を発送するので、印刷された年賀状の受取りに時間が掛かるという問題がある。
【０００７】
そこで、本発明は、版下の校正を行っても注文者が十分校正を行わない場合や校正の時間的余裕がない場合によって、注文者が期待する注文内容と異なる内容で印刷された場合に注文者との間に発生するトラブルを防ぐことができ、さらには、注文した印刷された年賀状を受け取る時間を短くすることができる年賀状印刷注文システムを提供することを目的とする。
【課題を解決するための手段】
【０００８】
本発明は上記問題点を解決するために創作されたものであって、第１には、賀状印刷を注文するための年賀状印刷注文システムであって、注文端末と、（注文端末に接続された）印刷装置とを有し、該注文端末が、画像を表示するための表示手段と、表示手段の表面に設けられたタッチパネル式の入力手段と、１又は複数の画面から構成された入力画面で、年賀状ハガキの宛名表示面とは反対側の面に印刷する印刷デザインで文字と絵柄における少なくともいずれかからなる印刷デザインを複数表示してなり、タッチパネルを操作することによりいずれかの印刷デザインを選択可能な印刷デザイン選択部と、年賀状ハガキの宛名表示面とは反対側の面に印刷する文字列を選択するための文字列選択部で、文字列を複数表示してなり、タッチパネルを操作することによりいずれかの文字列を選択可能な文字列選択部と、文字列選択部で文字列を選択する代わりに、年賀状ハガキの宛名表示面とは反対側の面に印刷する文字列を入力するための文字列入力部で、文字を入力するための入力キーを表示した入力キー表示部と、入力キー表示部をタッチパネルで操作することにより入力した文字列を表示する文字列表示部と、を有する文字列入力部と、年賀状ハガキの注文枚数を入力するための枚数入力部で、選択可能な枚数を表示してなり、タッチパネルを操作することによりいずれかの枚数を選択可能な枚数選択部を有する枚数入力部と、差出人を特定するための情報である差出人情報を入力するための差出人情報入力部で、文字と数字を入力するための入力キーを表示した第２入力キー表示部と、第２入力キー表示部をタッチパネルで操作することにより入力した差出人情報を表示する差出人情報表示部と、を有する差出人情報入力部と、入力印刷デザイン選択部で選択された印刷デザインとともに、文字列選択部で選択した文字列又は文字列入力部で入力した文字列と、差出人情報入力部で入力した内容を年賀状ハガキの宛名表示面とは反対側の面の印刷例の状態で表示するための印刷例表示部と、を有する入力画面のデータを記憶するとともに、入力画面に入力した内容を記憶する管理テーブルとを記憶する記憶手段と、記憶手段に記憶された入力画面の情報を表示手段に表示し、入力手段により入力した内容を管理テーブルに記憶し、文字列入力部が表示された状態で入力手段により文字列を選択するか又は文字列入力部が表示された状態で入力手段により文字列の入力を行った場合に、文字列を印刷例表示部に表示し、差出人情報入力部が表示された状態で入力手段により差出人情報の入力を行った場合に、差出人情報を印刷例表示部に表示し、入力手段により入力した内容に従い印刷データを印刷装置に送る制御手段とを有し、印刷装置が、制御手段から送られた印刷データに従い、年賀状ハガキの宛名表示面とは反対側の面に印刷することを特徴とする。
【０００９】
上記第１の構成においては、制御手段が、記憶手段に記憶された入力画面の情報を表示手段に表示し、入力手段により入力を行なうと、制御手段は、入力した内容を管理テーブルに記憶するとともに、入力を行なうごとに入力した内容を印刷例表示部に表示し、入力手段により入力した内容に従い印刷データを印刷装置に送る。つまり、印刷デザイン選択部で選択された印刷デザインの情報と、文字列選択部で選択された文字列又は文字列入力部により入力された文字列の情報と、差出人情報入力部により入力された差出人情報とを含む印刷データを印刷装置に送る。すると、印刷装置は、制御手段から送られた印刷データに従い、年賀状ハガキの宛名表示面とは反対側の面に印刷する。
【００１０】
よって、年賀状印刷注文システムによれば、注文者が自ら印刷内容を入力するので、注文用紙に記入した内容が不明である場合や記入した内容を誤認するようなことがなく、注文者が期待する注文内容と異なる内容で印刷された場合に注文者との間に発生するトラブルを防ぐことができる。また、注文を行なうとその場で印刷を行なうので、注文した印刷された年賀状を受け取る時間を短くすることができる。
【００１１】
また、印刷例表示部に入力した内容に従い印刷デザインとともに表示されるので、印刷される内容を知ることができる。
【００１２】
また、第２には、上記第１の構成において、注文内容を特定するための注文明細書で、管理テーブルに記憶された情報の少なくとも一部を表示した注文明細書を印刷するための注文明細書印刷装置で、制御装置から送られる印刷データで管理テーブルに記憶された情報の少なくとも一部を含む印刷データに従い注文明細書を印刷する注文明細書印刷装置を有することを特徴とする。よって、注文明細書を受け取った注文者は、注文明細書と引き換えに印刷装置により印刷された年賀状ハガキを購入することができる。
【００１３】
また、第３には、上記第１又は第２の構成において、入力画面が複数の画面からなり、印刷デザイン選択部を有する第１の画面と、文字列選択部を有する第２の画面と、文字列入力部を有する第３の画面と、枚数入力部を有する第４の画面と、差出人情報入力部を有し１又は複数の画面からなる第５の画面とを有し、制御手段は、第２の画面の後に表示される画面に、選択された印刷デザインとともに文字列選択部により選択された文字列を印刷例表示部に表示し、第３の画面の後に表示される画面に、選択された印刷デザインとともに文字列入力部により入力された文字列を印刷例表示部に表示し、第５の画面の後に表示される画面に、選択された印刷デザインとともに差出人情報入力部により入力された情報を印刷例表示部に表示し、印刷例表示部への表示に際して、すでに表示されている表示内容に追加して表示を行なうことを特徴とする。よって、入力を行なうごとに印刷例表示部への表示内容が追加されるので、印刷される内容を事前に注文手順の途中でも知ることができる。
【００１４】
また、第４には、上記第３の構成において、制御手段が、一連の注文手順の流れを示し、第１の画面に対応する第１表示と、第２の画面及び第３の画面に対応する第２表示と、第４の画面に対応する第３表示と、第５の画面に対応する第４表示とを有する注文手順一覧表示部で、第１表示から第４表示において、現在表示されている画面に対応した表示を強調して表示する注文手順一覧表示部を表示することを特徴とする。よって、現在表示されている画面が一連の注文手順におけるどの段階にあるのかを知ることができる。
【００１５】
なお、上記第４の構成において、注文手順一覧表示部における第１表示から第４表示までのいずれかの表示の表示領域を押して選択操作することにより、制御手段は、選択された表示に対応する画面を表示させることを特徴とするものとしてもよい。
【００１６】
また、第５には、上記第１から第４までのいずれかの構成において、枚数入力部が、数字を入力するための入力キーを表示したテンキー表示部を有し、タッチパネルにおけるテンキー表示部の領域を押して操作することにより枚数を入力可能であることを特徴とする。
【発明の効果】
【００１７】
本発明に基づく年賀状印刷注文システムによれば、注文者が自ら印刷内容を入力するので、注文用紙に記入した内容が不明である場合や記入した内容を誤認するようなことがなく、注文者が期待する注文内容と異なる内容で印刷された場合に注文者との間に発生するトラブルを防ぐことができる。また、注文を行なうとその場で印刷を行なうので、注文した印刷された年賀状を受け取る時間を短くすることができる。
【図面の簡単な説明】
【００１８】
【図１】年賀状印刷注文システムを示す斜視図である。
【図２】年賀状印刷注文システムを示すブロック図である。
【図３】管理テーブルの構成を示す説明図である。
【図４】年賀状印刷注文システムを示すフローチャートである。
【図５】年賀状印刷注文システムを示すフローチャートである。
【図６】第１画面を示す説明図である。
【図７】第２画面を示す説明図である。
【図８】第３画面を示す説明図である。
【図９】第４画面を示す説明図である。
【図１０】第５画面を示す説明図である。
【図１１】第６画面を示す説明図である。
【図１２】第７画面を示す説明図である。
【図１３】年賀状印刷注文システムの他の例を示すブロック図である。
【発明を実施するための形態】
【００１９】
本発明においては、版下の校正を行っても注文者が十分校正を行わない場合や校正の時間的余裕がない場合によって、注文者が期待する注文内容と異なる内容で印刷された場合に注文者との間に発生するトラブルを防ぐことができ、さらには、注文した印刷された年賀状を受け取る時間を短くすることができる年賀状印刷注文システムを提供するという目的を以下のようにして実現した。
【００２０】
本発明に基づく年賀状印刷注文システム５は、図１〜図３に示すように構成され、注文端末１０と、注文明細書プリンタ（注文明細書印刷装置）２０と、ハガキプリンタ（印刷装置）３０とを有している。
【００２１】
ここで、注文端末１０は、モニタ（表示手段）１２と、モニタ１２の表面に設けられたタッチパネル（入力手段）１４と、記憶装置（記憶手段）１６と、ＣＰＵ（制御手段）１８とを有している。
【００２２】
モニタ１２は、画像信号を表示する表示装置（ディスプレイ、表示手段）であり、ＣＰＵ１８から送られる画像信号を表示する。モニタ１２としては、液晶ディスプレイやＣＲＴ等が挙げられる。
【００２３】
また、タッチパネル１４は、モニタにおけるユーザのタッチ位置を検出するものであり、ユーザの指などによってモニタ１２上のいずれかの位置がタッチされると（すなわち、押されると）、そのタッチ位置を示す情報がＣＰＵ１８により検出され、このタッチ位置情報に基づいて、そのときモニタ１２に表示されていた画像のどの部分がタッチされたかがＣＰＵ１８により判断される。モニタ１２とタッチパネル１４とは、タッチパネル式の表示モニタであるといえる。
【００２４】
記憶装置１６は、各種情報を記憶するための記憶装置であり、プログラム格納部１６ａと、データ格納部１６ｂとを有している。
【００２５】
プログラム格納部１６ａは、年賀状印刷注文システム５を動作させるための各種プログラムを格納する記憶部であり、主としてＣＰＵ１８の動作を制御するためのプログラムを格納する。このプログラムとしては、タッチパネル１４への入力に従い所定の画面を表示させるためのプログラムである画面表示プログラムや、タッチパネル１４への入力に基づいて入力したデータを検知するためのプログラムである入力検知プログラムや、タッチパネル１４からの入力に従い所定の文字を表示するための文字表示プログラムや、注文者としてのユーザーが入力した内容に従い料金を計算するための料金計算プログラムや、入力された郵便番号から住所を検索する住所検索プログラムや、選択されたフォントに入力文字のフォントを変更するフォント変更プログラム等が挙げられる。このプログラム格納部１６ａは、記憶装置に各プログラムを格納した状態で構成される。なお、文字表示プログラムには、フォント選択部１６６において選択されたフォントを表示する機能も有する。
【００２６】
また、データ格納部１６ｂは、各種データを記憶するための記憶部であり、表示データ格納部と、管理テーブル格納部と、料金テーブル格納部等を有している。
【００２７】
ここで、上記表示データ格納部は、各種画像データを記憶するものであり、モニタ１２に表示を行うための各種表示データが記憶されている。表示データとしては、第１画面Ｇ１、第２画面Ｇ２、第３画面Ｇ３、第４画面Ｇ４、第５画面Ｇ５、第６画面Ｇ６、第７画面Ｇ７の各表示データが挙げられる。
【００２８】
また、管理テーブル格納部には、図３に示す管理テーブル４０が格納されている。この管理テーブル４０は、注文者としてのユーザーにより入力された内容を管理するためのテーブルであり、デザイン、文章、枚数、単価、料金、差出人情報、ハガキ画像の各情報が記憶される。差出人情報としては、郵便番号、住所、名前、電話番号、ＦＡＸ番号、メールアドレス、ホームページＵＲＬ、携帯電話番号、ハガキ画像の情報が含まれる。
【００２９】
また、料金テーブル格納部には、料金を計算するための料金テーブルのデータが格納されており、主として、第１画面Ｇ１のデザイン表示選択部１００に表示されるデザインごとの料金（特に、単価や、枚数ごとの料金）についての情報が記憶されている。
【００３０】
また、ＣＰＵ１８は、注文端末５における各部の動作を制御するものであり、制御装置、演算装置、主記憶装置としての機能を有し、特に、プログラム格納部１６ａに格納された各プログラムに従い、以下に示すフローチャートに示すように動作する。なお、ＣＰＵ１８とプログラム格納部１６ａに格納されたプログラムによって、制御手段が構成される。
【００３１】
また、注文明細書プリンタ２０は、注文端末１０に接続されていて、注文内容を特定するための情報が表示された注文明細書を印刷して出力するものであり、例えば、管理番号、枚数、料金を表示した注文明細書を印刷する。
【００３２】
また、ハガキプリンタ３０は、注文端末１０に接続されていて、ハガキに印刷して出力するものであり、注文者としてのユーザーが入力した内容に従い、ハガキに印刷を行なう。なお、ハガキプリンタ３０には、予め年賀状用のハガキが収納され、印刷を行なう。このハガキの宛名表示側の面と反対側の面には印刷はされていない。
【００３３】
なお、注文端末１０と、注文明細書プリンタ２０及びハガキプリンタ３０との接続は、例えば、ケーブル等の有線による接続である（例えば、注文端末１０の端子と注文明細書プリンタ２０の端子及びハガキプリンタ３０の端子をケーブルで接続する）が、無線ＬＡＮ等の無線により接続してもよい。
【００３４】
上記構成の年賀状印刷注文システム５の動作について、図４、図５等を使用して説明する。なお、本出願において、「入力」の語は、特に断らない限り、選択入力、書込み入力等の全ての入力の概念を含むものとする。また、年賀状印刷注文システム５は、店頭に設置されていて、注文者としてのユーザーが年賀状印刷注文システム５を用いて注文をするものとする。
【００３５】
まず、注文端末１０が起動中の初期状態においては、第１画面Ｇ１（図６参照）がモニタ１２に表示されている（Ｓ１）。なお、注文端末１０が起動中において、第１画面Ｇ１に導くための導入画面があり、その導入画面には、例えば、「年賀状を注文の方は以下のボタンを押して下さい」などの表示があり、該ボタンを押すことにより第１画面Ｇ１に移行するようにしてもよい。
【００３６】
第１画面Ｇ１は、図６に示すように、デザイン表示選択部（印刷デザイン選択部）１００と、注文手順一覧表示部３００とを有し、デザイン表示選択部１００と注文手順一覧表示部３００とが並んだ状態で表示される。
【００３７】
デザイン表示選択部１００は、選択可能な年賀状のデザイン画像（印刷デザイン）１０２を表示するとともに、所望のデザイン画像を選択するための画面であり、図６に示す例では、「カラー印刷」についてのデザイン画像１０２が複数表示されるとともに、「二色印刷」についてのデザイン画像１０２が複数表示されており、各デザイン画像の表示領域が操作ボタンとなっていて、モニタ１２における所望のデザインの画像を指等で押して（つまり、タッチして）選択入力することにより、そのデザインが選択される。
【００３８】
このデザイン画像は、年賀状ハガキの宛名表示面と反対側の面に印刷されるデザイン（文字と絵柄における少なくともいずれか一方）をハガキを示す四角形状の輪郭の中に配置したものであり、該輪郭におけるデザインの配置（レイアウト）も実際の印刷の際の配置と合わせて表示される。
【００３９】
また、注文手順一覧表示部３００は、一連の注文手順の流れを示すとともに、一連の注文手順において現在どの段階にあるかを表示するものであり、各段階についての表示を順序付けて表示するとともに、現在の段階に対応する表示が強調されて表示される。つまり、現在表示されている画面に応じて、対応する表示を強調して表示する。図の例では、四角形状の枠で囲まれた表示となるが、他の方法で強調するようにしてもよい。この第１画面Ｇ１における注文手順一覧表示部３００が、第１画面に対応する第１表示となる。
【００４０】
この第１画面Ｇ１において、モニタ１２における所望のデザインの箇所を指等で押すことにより選択すると、選択されたデザインの情報が管理テーブル４０（特に「デザイン」の欄）に記憶されるとともに、第２画面Ｇ２（図７参照）がモニタ１２に表示される（Ｓ２、Ｓ３）。なお、このデザインの情報を管理テーブル４０に記憶するのが、その注文について最初の管理テーブル４０への記憶（登録）となるが、その際、管理番号を付与しておく。この管理番号は、注文ごとの連続番号であるが、他の任意の番号を付与してもよい。
【００４１】
第２画面Ｇ２は、図７に示すように、文章選択部（文字列選択部）１１０と、注文手順一覧表示部３００とを有し、文章選択部１１０と注文手順一覧表示部３００が並んだ状態で表示される。
【００４２】
文章選択部１１０は、ハガキ表示部（印刷例表示部）１１２と、文章表示部１１４と、文章例表示選択部１１６と、確定ボタン１１８と、モード変更ボタン１２０とを有している。
【００４３】
ここで、ハガキ表示部１１２は、ハガキの画像を表示するものであり、第１画面Ｇ１において選択されたデザインが表示されたハガキの画像が表示される。つまり、選択されたデザインの情報が管理テーブル４０に記憶されているので、この情報に従い選択されたデザインのハガキが表示される。なお、選択されたデザインの情報をデータ格納部１６ｂにおける管理テーブル４０以外の場所に格納しておき、この情報に従い選択されたデザインのハガキを表示するようにしてもよい。
【００４４】
また、文章表示部１１４は、選択又は入力された文章を表示するものであり、この文章表示部１１４には、文章例表示選択部１１６において選択した文章が表示される。
【００４５】
また、文章例表示選択部１１６は、年賀状に印刷する文章の例を複数表示するとともに、各文章の表示領域が操作ボタンとなっていて、モニタ１２における所望の文章の表示領域を指等で押して選択入力することにより選択できるようになっている。
【００４６】
なお、文章例表示選択部１１６に文章以外の文字列を表示して選択できるようにしておき（つまり、文章例表示選択部１１６は文字列例表示選択部といえる）、選択された文字列を文章表示部１１４に表示するようにしてもよい（その場合には、文章表示部は文字列表示部といえる）。
【００４７】
また、確定ボタン１１８は、選択又は入力した内容を確定するためのボタンであり、確定ボタン１１８を押すことにより、文章表示部１１４に表示された文章の内容が確定して管理テーブル４０（特に「文章」の欄）に記憶される。また、確定ボタン１１８が押された場合には、第４画面Ｇ４に移行する。
【００４８】
また、モード変更ボタン１２０は、文章選択モードの代わりに文字入力モードに変更するためのボタンであり、このモード変更ボタン１２０を押すことにより、文字入力モードに対応する第３画面Ｇ３が表示される。
【００４９】
また、第２画面Ｇ２における注文手順一覧表示部３００は、上記と同様の構成であるので詳しい説明を省略するが、図７に示すように、「文章入力」の箇所が強調される。この第２画面Ｇ２における注文手順一覧表示部３００が、第２画面に対応する第２表示となる。
【００５０】
第２画面Ｇ２においてモード変更ボタン１２０が押された場合の動作について説明すると、第３画面Ｇ３が表示される（Ｓ５、Ｓ６）。
【００５１】
すなわち、第２画面Ｇ２において、文章例表示選択部１１６におけるいずれかの文章の表示領域を押すことにより、選択された文章が文章表示部１１４に表示され、確定ボタン１１８を押すことにより、表示された文章が管理テーブル４０に記憶されるとともに、第４画面Ｇ４に移行して第４画面Ｇ４が表示される（Ｓ４、Ｓ８）。一方、モード変更ボタン１２０を押すことにより、第３画面Ｇ３に移行して第３画面Ｇ３を表示する（Ｓ５、Ｓ６）。
【００５２】
第３画面Ｇ３は、図８に示すように、文章入力部（文字列入力部）１３０と、注文手順一覧表示部３００とを有し、文章入力部１３０と注文手順一覧表示部３００とが並んだ状態で表示される。
【００５３】
文章入力部１３０は、入力キー表示部１３２と、入力文字表示部１３４と、確定ボタン１３６と、モード変更ボタン１３８とを有している。
【００５４】
ここで、入力キー表示部１３２は、文字を入力するためのキーが表示され、具体的には、「ア」〜「ン」までの五十音順入力キー１３２ａと、「ャ」（「ヤ」の小書き）、「ュ」（「ユ」の小書き）、「ョ」（「ヨ」の小書き）、「ッ」（「ツ」の小書き）とが片仮名で表示された小書き入力キー１３２ｂと、濁点キー１３２ｃと、半濁点キー１３２ｄと、入力文字表示部１３４に表示されるカーソル１３４ａを左右上下に移動させるためのカーソル移動キー１３２ｅ（このカーソル１３４ａは、第３画面Ｇ３が表示された際に入力文字表示部１３４内に表示される）と、住所表示部１６４に表示された文字を消去するための「クリア」キー１３２ｆと、漢字変換を行うための「変換」キー１３２ｇと、漢字変換した語を確定するための「決定」キー１３２ｈと、「０」〜「９」の数字を示すテンキー１３２ｉと、「−」からなるハイフォンキー１３２ｊが設けられている。
【００５５】
漢字変換について説明すると、五十音順入力キー１３２ａと小書き入力キー１３２ｂにより片仮名の文字を入力した後に「変換」キー１３２ｇを押すことにより、データ格納部１６ｂに格納された辞書データに従い、所定の変換候補が表示され、表示された変換候補の中からカーソル移動キー１３２ｅで選択を行い、「決定」キー１３２ｈを押すことにより漢字が入力文字表示部１３４に表示される。なお、片仮名を入力した状態で「決定」キー１３２ｈを押すことにより入力した片仮名が表示される。
【００５６】
また、入力文字表示部１３４には、入力キー表示部１３２により入力された文字が表示される。
【００５７】
また、確定ボタン１３６は、入力文字表示部１３４に表示された文字（厳密には文章）を確定するものであり、確定ボタン１３６を押すことにより、入力文字表示部１３４に表示された文章の内容が確定して管理テーブル４０（特に「文章」の欄）に記憶される。また、確定ボタン１３６を押すことにより、表示画面が第４画面Ｇ４に移行する（Ｓ４、Ｓ８）。
【００５８】
なお、入力文字表示部１３４に全く文字が表示されていない（つまり、入力されていない）状態で確定ボタン１３６が押された場合には、文字の入力を促す表示を行うのが好ましい。
【００５９】
また、モード変更ボタン１３８は、文章選択モードに変更するためのボタンであり、このモード変更ボタン１３８を押すことにより、文章選択モードに対応する第２画面Ｇ２が表示される。このモード変更ボタン１３８は、文字入力モードから文章選択モードに戻る場合に使用される。
【００６０】
また、第３画面Ｇ３における注文手順一覧表示部３００は、上記と同様の構成であるので詳しい説明を省略するが、図８に示すように、「文章入力」の箇所が強調されたままとなる。この第３画面Ｇ３における注文手順一覧表示部３００が、第３画面に対応する第２表示となる。
【００６１】
すなわち、第３画面Ｇ３において、入力キー表示部１３２に表示されたキーを押して文章を入力することにより、入力文字表示部１３４に入力した文字が表示され、確定ボタン１３６を押すことにより、入力された文字が管理テーブル４０に記憶されるとともに、第４画面Ｇ４に移行して第４画面Ｇ４が表示される（Ｓ７、Ｓ８）。
【００６２】
第４画面Ｇ４は、図９に示すように、枚数入力部１４０と、注文手順一覧表示部３００とを有し、枚数入力部１４０と注文手順一覧表示部３００とが並んだ状態で表示される。
【００６３】
枚数入力部１４０は、ハガキ表示部１４２と、枚数表示選択部１４４と、テンキー表示部１４６と、入力確定ボタン１４７と、枚数表示部１４８と、料金表示部１５０と、確定ボタン１５２とを有している。
【００６４】
ここで、ハガキ表示部１４２は、ハガキの画像を表示するものであり、第１画面Ｇ１において選択されたデザインが表示されたハガキに第２画面Ｇ２で選択された文章又は第３画面Ｇ３で入力された文章が表示された状態のハガキの画像が表示される。つまり、選択されたデザインの情報と、選択又は入力された文章が管理テーブル４０に記憶されているので、この情報に従いハガキ表示部１４２が表示される。文章のハガキ内におけるレイアウトは、予め定められた設定に従い表示する。なお、選択されたデザインの情報と選択又は入力された文章の情報をデータ格納部１６ｂにおける管理テーブル４０以外の場所に格納しておき、この情報に従い選択されたデザインのハガキを表示するようにしてもよい。
【００６５】
また、枚数表示選択部１４４は、選択可能な枚数を表示するとともに、所望の枚数を選択するための画面であり、図９の例では、１０枚〜１００枚の枚数が１０枚ごとに表示され、各枚数の表示領域が操作ボタンとなっていて、モニタ１２における所望の文章の表示領域を指等で押して選択入力することにより選択できるようになっている。各枚数の表示領域には、料金が表示されるが、これは、料金テーブル格納部に格納された料金テーブルに従い料金が算出されて表示される。なお、各デザインごとに枚数入力部の画像を作成して表示データ格納部に格納しておき（該画像には、ハガキ表示部１４２の箇所にハガキのデザインが表示されている）、選択されたデザインについての枚数入力部の画像を読み出して表示するようにしてもよい。
【００６６】
テンキー表示部１４６は、「０」〜「９」の数字を示すキーを有し、このテンキー表示部１４６のキーを押すことにより枚数が入力される。テンキー表示部１４６のキーによる数字を入力すると、入力された数字が検知されて、枚数表示部１４８に枚数が表示される。また、入力確定ボタン１４７は、テンキー表示部１４６のキーにより入力した数字を確定するためのボタンであり、テンキー表示部１４６のキーにより数字を入力して、入力確定ボタン１４７を押すと、入力された枚数に従い料金が計算されて、料金表示部１５０に料金が表示される。料金は、料金計算プログラムにより料金テーブル格納部に格納された料金テーブルに従い料金が算出されて表示される。
【００６７】
また、枚数表示部１４８は、選択又は入力された枚数を表示する表示部であり、料金表示部１５０は、選択又は入力された枚数に従い料金を表示する表示部である。
【００６８】
つまり、枚数表示選択部１４４において所望の枚数の表示領域を指等で押して選択すると、その操作が検知されて、枚数表示部１４８に枚数が表示される。また、テンキー表示部１４６のキーを押して所望の枚数を入力すると、その操作が検知されて、枚数表示部１４８に枚数が表示される。また、枚数に応じた料金が料金表示部１５０に表示される。
【００６９】
また、確定ボタン１５２は、選択又は入力された枚数を確定するものであり、確定ボタン１５２を押すことにより、枚数が確定して枚数表示部１４８に表示された枚数の情報が管理テーブル４０（特に「枚数」の欄）に記憶され、料金表示部１５０に表示された料金の情報が管理テーブル４０（特に「料金」の欄）に記憶され、単価の情報も管理テーブル４０（特に「単価」の欄）に記憶される。単価の情報は、料金テーブルに記憶されているので、該料金テーブルから読み出して管理テーブル４０に記憶する。また、確定ボタン１５２を押すことにより、表示画面が第５画面Ｇ５に移行する（Ｓ９、Ｓ１０）。
【００７０】
また、第４画面Ｇ４における注文手順一覧表示部３００は、上記と同様の構成であるので詳しい説明を省略するが、図９に示すように、「枚数入力」の箇所が強調された状態となる。この第４画面Ｇ４における注文手順一覧表示部３００が、第４画面に対応する第３表示となる。
【００７１】
すなわち、第４画面Ｇ４において、枚数表示選択部１４４における各枚数の表示領域におけるいずれかの表示領域を押すことにより、枚数表示部１４８に枚数が表示されるとともに、料金表示部１５０に料金が表示され、一方、テンキー表示部１４６により枚数を入力することにより枚数表示部１４８に入力された枚数が表示され、入力確定ボタン１４７を押すことにより料金表示部１５０に料金が表示され、確定ボタン１５２を押すことにより、枚数、料金、単価の情報が管理テーブル４０に記憶されるとともに、第５画面Ｇ５に移行して第５画面Ｇ５が表示される（Ｓ９、Ｓ１０）。
【００７２】
また、第５画面Ｇ５は、図１０に示すように、住所入力部１６０と、注文手順一覧表示部３００とを有し、住所入力部１６０と注文手順一覧表示部３００が並んだ状態で表示される。
【００７３】
住所入力部１６０は、郵便番号表示部１６２と、入力確定ボタン１６３と、住所表示部１６４と、フォント選択部１６６と、入力キー表示部１６８と、確定ボタン１７０とを有している。
【００７４】
ここで、郵便番号表示部１６２は、入力された郵便番号を表示するための表示部で、入力キー表示部１６８におけるテンキー１６８ｉにより郵便番号を入力することにより郵便番号表示部１６２に入力された郵便番号が表示される。入力確定ボタン１６３は、郵便番号入力部１６２に入力された郵便番号を確定するためのボタンである。
【００７５】
テンキー表示部１６８のキーにより数字を入力して、入力確定ボタン１６３を押すと、郵便番号が確定されて、上記住所検索プログラムにより郵便番号に対応した住所が検索されて、住所表示部１６４に表示される。なお、郵便番号に対応した住所としては、町名まで表示されるので、その後の番地やマンション名を入力キー表示部１６８により入力することになる。
【００７６】
なお、第５画面Ｇ５が表示された初期状態では、数字を入力することにより郵便番号表示部１６２に郵便番号が表示されるように設定されているので、郵便番号を入力せずに直接住所を入力する場合には、住所表示部１６４の領域を押す。これにより、入力キー表示部１６８のキーを押すことにより住所を入力することができる。
【００７７】
また、住所表示部１６４は、郵便番号に対応して検索された住所及び入力キー表示部１６８により入力された住所を表示する表示部である。住所表示部１６４内に表示されるカーソル１６４ａは、郵便番号を入力して入力確定ボタン１６３を押した場合又は住所表示部１６４の領域を押すことにより表示され、郵便番号を入力して入力確定ボタン１６３を押した場合には、郵便番号に対応した住所の直後の位置にカーソル１６４ａが表示される。
【００７８】
また、フォント選択部１６６は、住所と名前のフォントを選択するための選択ボタンにより構成されている。フォント選択部１６６におけるいずれかのフォントのボタンを押すことにより、どのフォントが選択されたかが検知され、フォント変更プログラムにより、入力された住所や名前が選択されたフォントで住所入力部１６０の住所表示部１６４や名前等入力部１８０の諸情報表示部１８１に表示される。なお、住所表示部１６４や諸情報表示部１８１に表示された状態で、フォント選択部１６６によりフォントを変更する操作を行なうと、該操作が検知され、表示された文字のフォントが変更して表示される。
【００７９】
また、入力キー表示部１６８は、文字を入力するためのキーが表示され、入力キー表示部１３２と同様の構成となっている。入力キー表示部１６８の構成は、入力キー表示部１３２と同様の構成であるので、詳しい説明を省略する。
【００８０】
また、確定ボタン１７０は、入力された住所の情報を確定するものであり、確定ボタン１７０を押すことにより、住所が確定して住所入力部１６４に表示された住所が管理テーブル４０に記憶される。また、確定ボタン１７０を押すことにより、表示画面が第６画面Ｇ６に移行する（Ｓ１１、Ｓ１２）。
【００８１】
なお、住所表示部１６４に全く文字が表示されていない（つまり、入力されていない）状態で確定ボタン１７０が押された場合には、住所の入力を促す表示を行うのが好ましい。
【００８２】
また、第５画面Ｇ５における注文手順一覧表示部３００は、上記と同様の構成であるので詳しい説明を省略するが、図１０に示すように、「住所入力」の箇所が強調された状態となる。この第５画面Ｇ５における注文手順一覧表示部３００が、第５画面に対応する第４表示となる。
【００８３】
すなわち、第５画面Ｇ５において、郵便番号を入力して、該郵便番号に対応した住所を住所表示部１６４に表示した後に表示された住所の直後に番地やマンション名を入力するか、あるいは、郵便番号を入力せずに直接住所を入力することにより住所表示部１６４に住所が表示された状態で確定ボタン１７０を押すことにより、入力された郵便番号と住所が管理テーブル４０（特に、「郵便番号」の欄と「住所」の欄）に記憶されるとともに、第６画面Ｇ６に移行して第６画面Ｇ６が表示される（Ｓ１１、Ｓ１２）。なお、郵便番号を入力せずに直接住所を入力した場合には、郵便番号を検索プログラムを設けておき、郵便番号を検索して、郵便番号表示部１６２に表示して、これを管理テーブル４０に記憶させるようにしてもよいし、住所を入力後に郵便番号を手動で入力して（この場合には、住所検索プログラムは動作しないものとする）、入力された郵便番号を管理テーブル４０に記憶させるようにしてもよい。
【００８４】
また、第６画面Ｇ６は、図１１に示すように、名前等入力部１８０と、注文手順一覧表示部３００とを有し、名前等入力部１８０と注文手順一覧表示部３００が並んだ状態で表示される。
【００８５】
名前等入力部１８０は、名前表示部１８２と、電話番号表示部１８４と、ＦＡＸ番号表示部１８６と、メールアドレス表示部１８８と、ホームページＵＲＬ表示部１９０と、携帯電話番号表示部１９２と、入力キー表示部１９４と、確定ボタン１９６とを有している。
【００８６】
ここで、名前表示部１８２は、入力キー表示部１９４により入力された名前（具体的には、氏名）を表示する表示部である。また、電話番号表示部１８４は、入力キー表示部１９４により入力された電話番号を表示する表示部である。また、ＦＡＸ番号表示部１８６は、入力キー表示部１９４により入力されたＦＡＸ番号を表示する表示部である。また、メールアドレス表示部１８８は、入力キー表示部１９４により入力されたメールアドレスを表示する表示部である。また、ホームページＵＲＬ表示部１９０は、入力キー表示部１９４により入力されたホームページＵＲＬを表示する表示部である。また、携帯電話番号表示部１９２は、入力キー表示部１９４により入力された携帯電話番号を表示する表示部である。名前表示部１８２と電話番号表示部１８４とＦＡＸ番号表示部１８６とメールアドレス表示部１８８とホームページＵＲＬ表示部１９０と携帯電話番号表示部１９２とで、諸情報表示部１８１が構成される。なお、住所表示部１６４に表示される住所と諸情報表示部１８１に表示される情報とが、「差出人を特定するための情報」となる。また、住所入力部１６０と名前等入力部１８０とが差出人情報入力部を構成する。
【００８７】
なお、第６画面Ｇ６を表示した際には、名前表示部１８２における最上段の欄にカーソル１８２ａが表示され、入力キー表示部１９４により名前を入力して決定ボタンを押すことにより名前表示部１８２における次の欄にカーソルが移動する。このようにして、諸情報表示部１８１における各欄において決定ボタンを押すことにより他の欄にカーソルが移動していく。
【００８８】
また、入力キー表示部１９４は、文字を入力するためのキーが表示され、入力キー表示部１３２と同様の構成となっている。入力キー表示部１９４の構成は、入力キー表示部１３２と同様の構成であるので、詳しい説明を省略する。
【００８９】
また、確定ボタン１９６は、入力された名前等の情報を確定するものであり、確定ボタン１９６を押すことにより、名前等の情報が確定して諸情報表示部１８１に表示された情報が管理テーブル４０（特に「電話番号」、「ＦＡＸ番号」、「メールアドレス」、「ホームページＵＲＬ」、「携帯電話番号」の欄）に記憶される。また、確定ボタン１９６を押すことにより、表示画面が第７画面Ｇ７に移行する（Ｓ１３、Ｓ１４）。
【００９０】
なお、少なくとも名前表示部１８２に名前が表示されていない（つまり、入力されていない）状態で確定ボタン１９６が押された場合には、名前の入力を促す表示を行うのが好ましい。
【００９１】
また、第６画面Ｇ６における注文手順一覧表示部３００は、上記と同様の構成であるので詳しい説明を省略するが、図１１に示すように、「名前入力」の箇所が強調された状態となる。
【００９２】
すなわち、第６画面Ｇ６において、名前等入力部１８０において名前等を入力して、諸情報表示部１８１に名前等が表示された状態で確定ボタン１９６を押すことにより、入力された名前等の情報が管理テーブル４０に記憶されるとともに、第７画面Ｇ７に移行して第７画面Ｇ７が表示される（Ｓ１３、Ｓ１４）。
【００９３】
なお、第１画面Ｇ１が特許請求の範囲における第１の画面に当たり、第２画面Ｇ２が特許請求の範囲における第２の画面に当たり、第３画面Ｇ３が特許請求の範囲における第３の画面に当たり、第４画面Ｇ４が特許請求の範囲における第４の画面に当たり、第５画面Ｇ５と第６画面Ｇ６とが、特許請求の範囲における第５の画面に当たる。
【００９４】
また、第７画面Ｇ７は、図１２に示すように、内容確認部２００と、注文手順一覧表示部３００とを有し、内容確認部２００と注文手順一覧表示部３００が並んだ状態で表示される。
【００９５】
内容確認部２００は、ハガキ表示部２０２と、情報表示部２０４と、確認ボタン２０６とを有している。
【００９６】
ここで、ハガキ表示部２０２は、ハガキの画像を表示するものであり、第１画面Ｇ１において選択されたデザインが表示されたハガキに第２画面Ｇ２で選択された文章又は第３画面Ｇ３で入力された文章が表示され、さらに、第５画面Ｇ５と第６画面で入力された差出人を特定するための情報が表示された状態のハガキの画像が表示される。つまり、選択されたデザインの情報と、選択又は入力された文章と、入力された住所、名前等の差出人を特定するための情報が管理テーブル４０に記憶されているので、この情報に従いハガキ表示部２０２が表示される。文章や住所名前等のハガキ内におけるレイアウトは、予め定められた設定に従い表示する。つまり、第４画面Ｇ４のハガキ表示部１４２にすでに表示されている内容に第５画面Ｇ５と第６画面Ｇ６で入力された差出人を特定するための情報を追加して表示する。なお、選択されたデザインの情報と選択又は入力された文章の情報と差出人を特定するための情報をデータ格納部１６ｂにおける管理テーブル４０以外の場所に格納しておき、この情報に従い選択されたデザインのハガキを表示するようにしてもよい。
【００９７】
また、情報表示部２０４には、枚数と、単価と、料金と、管理番号の各情報が表示される。枚数と単価と料金と管理番号の各情報は管理テーブル４０に記憶されているので、管理テーブル４０から読み出して表示する。また、確認ボタン２０６は注文内容を確定するための操作ボタンである。
【００９８】
注文者としてのユーザーは、ハガキ表示部２０２の内容と情報表示部２０４に表示された内容を確認して、内容に誤りがなければ、確認ボタン２０６を押す。
【００９９】
確認ボタン２０６を押すと、それが検知され、注文明細書プリンタ２０が、注文内容を特定するための情報を表示した注文明細書を印刷する。注文内容を特定するための情報としては、例えば、情報表示部２０４に表示された内容が挙げられる。つまり、管理テーブル４０に記憶されたデータで情報表示部２０４に表示された内容のデータ（すなわち、管理テーブル４０に記憶された情報の少なくとも一部のデータ）がＣＰＵ１８により読み出され、ＣＰＵ１８はそのデータを印刷データとして注文明細書プリンタ２０に送り、注文明細書プリンタ２０は送られたデータに従い注文明細書を印刷する。注文明細書が印刷されたら、注文者としてのユーザーはその注文明細書を受け取る。
【０１００】
なお、注文明細書には、ハガキプリンタ３０による印刷が完了するまでの時間を表示するようにするのが好ましい。つまり、データ格納部１６ｂに枚数と印刷時間との対応を示す印刷時間テーブルを記憶させておき、該印刷時間テーブルに基づき印刷時間を読み出してその時間を注文明細書に表示する。なお、年賀状のデザインによっては印刷時間が異なる場合があるので、印刷時間テーブルには、デザインごとに枚数と印刷時間との対応を示すテーブルを設けておくのが好ましい。
【０１０１】
また、確認ボタン２０６を押すと、ハガキ表示部２０２の画像データ（印刷データ）が、ハガキプリンタ３０に送られ、ハガキの宛名表示側の面と反対側の面に該画像データに従い印刷を行なう。つまり、デザイン画像と、文章と、差出人情報を含む印刷データがＣＰＵ１８によりハガキプリンタ３０に送られ、ハガキプリンタ３０は、送られた印刷データに従い印刷を行なう。また、ハガキ表示部２０２の画像データが、管理テーブル４０（特に「ハガキ画像」の欄）に記憶される。
【０１０２】
なお、第１画面Ｇ１〜第７画面Ｇ７において、内容に誤りがある場合には、注文手順一覧表示部３００における所望の段階の箇所を押すことにより、その段階に戻るようにしてもよい。つまり、注文手順一覧表示部３００における所望の段階の箇所を押して選択操作することにより、ＣＰＵ１８は、選択された段階に対応する画面を表示する。そのように前の段階に戻った場合には、管理テーブル４０において、その段階を含むその段階以降に入力した内容はクリアする。例えば、第７画面Ｇ７から注文手順一覧表示部３００において「枚数入力」を選択した場合には、第４画面Ｇ４に戻り、第４画面Ｇ４を含む第４画面Ｇ４以降に入力した内容がクリアされる。つまり、管理テーブル４０から枚数、単価、料金、差出人情報、ハガキ画像の情報が削除される。
【０１０３】
なお、注文手順一覧表示部３００における所望の段階の箇所を押すことにより、その段階に戻った場合に、その段階で入力して記憶した情報のみを削除してもよい。そして、その画面で入力を行い確定ボタンを押した場合には、もとの画面に戻るのである。例えば、第７画面Ｇ７から注文手順一覧表示部３００において「枚数入力」を選択した場合には、第４画面Ｇ４に戻り、枚数、単価、料金の情報を管理テーブル４０から削除し、第４画面Ｇ４において枚数を入力して確定ボタン１５２を押した場合には、枚数、単価、料金の情報を管理テーブル４０に新たに記憶して、第７画面Ｇ７に戻る。また、第７画面Ｇ７から注文手順一覧表示部３００において「文章入力」を選択した場合には、第２画面Ｇ２に戻り、文章の情報を管理テーブル４０から削除し、第２画面Ｇ２又は第３画面Ｇ３において文章を入力して確定ボタン１１８又は確定ボタン１３６を押した場合には、文章の情報を管理テーブル４０に新たに記憶して第７画面Ｇ７に戻る。なお、前の段階に戻った際にその段階で入力して記憶した情報を管理テーブル４０から削除するのではなく、各画面で内容を確定したタイミングで、管理テーブル４０に記憶されているデータを書き換えるようにしてもよい。つまり、第１画面Ｇ１において、所望のデザイン画像１０２の表示領域を押してデザイン画像を選択したり、第２画面Ｇ２〜第６画面Ｇ６において、確定ボタン１１８、１３６、１５２、１７０、１９６を押したタイミングで、管理テーブル４０に記憶されているデータを新たに入力した内容に書き換えるようにしてもよい。
【０１０４】
また、第１画面Ｇ１〜第７画面Ｇ７の各画面に「戻る」のボタンを設けて、そのボタンを押すことにより１つ前の画面に戻るようにすればよい。その場合も戻った先の画面で入力した情報は管理テーブル４０から削除する。
【０１０５】
注文明細書を受け取った注文者は、ハガキプリンタ３０によりハガキの印刷が完了するまで待つか、あるいは、注文明細書には印刷時間が表示されているので、店を離れてもその時間が経過する頃に店に戻って、印刷された年賀状ハガキを購入して受け取る。
【０１０６】
以上のように、本実施例の年賀状印刷注文システム５によれば、注文者が自ら印刷内容を入力するので、注文用紙に記入した内容が不明である場合や記入した内容を誤認するようなことがなく、注文者が期待する注文内容と異なる内容で印刷された場合に注文者との間に発生するトラブルを防ぐことができる。
【０１０７】
また、本実施例の年賀状印刷注文システム５によれば、注文を行なうとその場で印刷を行なうので、注文した印刷された年賀状を受け取る時間を短くすることができる。
【０１０８】
また、ハガキ表示部１１２、１４２、２０２には、入力を行なうごとに表示内容が追加されていくので、印刷される内容を注文手順の途中でも知ることができ、印刷内容が希望する内容でない場合には、注文操作をもとに戻るか否かの判断をしやすくなる。
【０１０９】
また、注文手順一覧表示部３００において現在の段階に対応する表示が強調されて表示されるので、現在表示されている画面が一連の注文手順におけるどの段階にあるのかを知ることができる。
【０１１０】
なお、図１３に示すように、注文端末１０がＣＰＵ１８に接続された通信装置１９を有するものとし、該通信装置１９から公衆回線を介して受付センター５０に接続して、管理テーブル４０に記憶された当該注文についての情報を送信して、受付センター５０で該情報を受信して、印刷を行い、注文者に郵送等により送るようにしてもよい。
【０１１１】
例えば、第１画面Ｇ１のデザイン表示選択部１００において、ハガキプリンタ３０で印刷可能なデザインと受付センター５０に注文するデザインとを分けて表示しておき、受付センター５０に注文するデザインについては、第７画面Ｇ７において確認ボタン２０６を押すことにより、管理テーブル４０に記憶された情報でその注文についての情報を受付センター５０に送信し、受付センター５０は、送信された情報におけるハガキ画像の情報と枚数の情報に従い印刷を行い、印刷された年賀状ハガキを注文者に送る。なお、年賀状の差出人の住所、名前（具体的には、氏名）と、郵送先の住所、名前（具体的には、氏名）とが異なる場合があるので、郵送先の住所、氏名、電話番号等郵送先を特定するための情報を入力するための画面を表示して、郵送先を特定するための情報を入力し、該画面に設けられた確定ボタンを押すことにより管理テーブル４０に記憶し、注文センター５０に管理テーブル４０の情報を送信する際に、郵送先を特定するための情報を送るようにする。これにより、年賀状の差出人と印刷された年賀状の郵送先とが異なる場合にも、郵送先に送ることができる。
【０１１２】
なお、上記の説明において、差出人情報を入力するための住所入力部１６０と名前等入力部１８０とは第５画面Ｇ５と第６画面Ｇ６の２つの画面に表示されているが、１つの画面に表示するようにしてもよい。
【０１１３】
また、デザイン表示選択部１００と、文章選択部１１０と、文章入力部１３０と、枚数入力部１４０と、住所入力部１６０と、名前等入力部１８０は異なる画面に表示されるものとして説明したが、１つの画面に表示してもよく、また、異なる画面に表示される上記各部の任意の組合せの複数を１つの画面に表示してもよい。
【０１１４】
なお、上記の説明では、年賀状ハガキの印刷を例にとって説明したが、暑中見舞いのハガキ等他のハガキとしてもよい。
【符号の説明】
【０１１５】
５  年賀状印刷注文システム
１０  注文端末
１２  モニタ
１４  タッチパネル
１６  記憶装置
１６ａ  プログラム格納部
１６ｂ  データ格納部
１８  ＣＰＵ
２０  注文明細書プリンタ
３０  ハガキプリンタ
４０  管理テーブル
Ｇ１  第１画面
Ｇ２  第２画面
Ｇ３  第３画面
Ｇ４  第４画面
Ｇ５  第５画面
Ｇ６  第６画面
Ｇ７  第７画面
１００  デザイン表示選択部
１０２  デザイン画像
１１０  文章選択部
１１２、１４２、２０２  ハガキ表示部
１１４  文章表示部
１１６  文章例表示選択部
１１８、１３６、１５２、１７０、１９６  確定ボタン
１２０、１３８  モード変更ボタン
１３０  文章入力部
１３２、１６８、１９４  入力キー表示部
１３４  入力文字表示部
１４０  枚数入力部
１４４  枚数表示選択部
１４６  テンキー表示部
１４７、１６３  入力確定ボタン
１４８  枚数表示部
１５０  料金表示部
１６０  住所入力部
１６２  郵便番号表示部
１６４  住所表示部
１６６  フォント選択部
１８０  名前等入力部
１８２  名前表示部
１８４  電話番号表示部
１８６  ＦＡＸ番号表示部
１８８  メールアドレス表示部
１９０  ホームページＵＲＬ表示部
１９２  携帯電話番号表示部
２００  内容確認部
２０６  確認ボタン
３００  注文手順一覧表示部
【図１】
2012104066.tif 000003
【図２】
2012104066.tif 000004
【図３】
2012104066.tif 000005
【図４】
2012104066.tif 000006
【図５】
2012104066.tif 000007
【図６】
2012104066.tif 000008
【図７】
2012104066.tif 000009
【図８】
2012104066.tif 000010
【図９】
2012104066.tif 000011
【図１０】
2012104066.tif 000012
【図１１】
2012104066.tif 000013
【図１２】
2012104066.tif 000014
【図１３】
2012104066.tif 000015